(57)【要約】【課題】複数の無線通信端末を使って同時に基地局に対し発呼する必要がある接続率試験において、基地局装置や無線通信端末に接続する評価用の特別な装置であり高価であるうえに、使用できる無線通信端末の数に制約があった。【解決手段】複数の無線通信端末に対し通信の開始を要求する通信要求メッセージを送信する。前記複数の無線通信端末は通信を開始するまでの時間や通信回数を記憶する記憶部を備える。【選択図】    図１
2007201944.tif 000002
【特許請求の範囲】
【請求項１】
基地局装置と複数の無線通信端末との間で通信を行う通信システムにおいて、
前記複数の無線通信端末に対し通信の開始を要求する通信要求メッセージを送信する通信要求メッセージ送信手段と、
前記通信要求メッセージを受信する通信要求メッセージ受信手段と、
受信した前記通信要求メッセージに基づいて前記無線通信端末が通信を開始するよう制御する通信開始制御手段と、
を備えることを特徴とする無線通信システム。
【請求項２】
前記通信要求メッセージ受信手段が前記通信要求メッセージを受信した後、前記複数の無線通信端末が通信を開始するまでの時間を記憶する記憶部を備えることを特徴とする請求項１に記載の無線通信システム。
【請求項３】
前記記憶部はさらに、前記通信要求メッセージ受信手段が前記通信要求メッセージを受信した後、前記複数の無線通信端末が通信を開始する回数を記憶することを特徴とする請求項２に記載の無線通信システム。
【請求項４】
基地局装置と複数の無線通信端末との間で通信を行う通信システムにおいて用いられる無線通信端末において、
前記基地局から送信された、前記複数の無線通信端末に対し通信の開始を要求する通信要求メッセージを受信する通信要求メッセージ受信手段と、
受信した前記通信要求メッセージに基づいて前記複数の無線通信端末が通信を開始するよう制御する通信開始制御手段と、
を備えることを特徴とする無線通信端末。
【請求項５】
前記通信要求メッセージ受信手段が前記通信要求メッセージを受信した後、前記複数の無線通信端末が通信を開始するまでの時間を記憶する記憶部を備えることを特徴とする請求項４に記載の無線通信端末。
【請求項６】
前記記憶部はさらに、前記通信要求メッセージ受信手段が前記通信要求メッセージを受信した後、前記複数の無線通信端末が通信を開始する回数を記憶することを特徴とする請求項５に記載の無線通信端末。
【請求項７】
基地局装置と複数の無線通信端末との間で通信を行う通信制御方法において、
前記複数の無線通信端末に対し通信の開始を要求する通信要求メッセージを送信する通信要求メッセージ送信ステップと、
前記通信要求メッセージを受信する通信要求メッセージ受信ステップと、
受信した前記通信要求メッセージに基づいて前記複数の無線通信端末が通信を開始するよう制御する通信開始制御ステップと、
を含むことを特徴とする通信制御方法。
【発明の詳細な説明】
【技術分野】
【０００１】
本発明は、PHS（Personal Handyphone System）における基地局と無線端末間の接続率を試験するための無線通信システム、無線通信端末および通信制御方法に関する。
【背景技術】
【０００２】
時分割多重方式により通信を行うＰＨＳ（Personal Handyphone System）システムの設置時や保守時においては、フィールドテストと呼ばれる実使用に近い状態での各種試験が行われる。そのなかで、無線通信端末と基地局装置との接続がどのくらいの割合で成功するかの目安である接続率の試験がありこの試験は、特に空間多重方式で接続を行う通信システムの場合には重要な試験である。この接続試験の方法は、広い範囲の複数の場所に散らばった試験者がそれぞれ無線通信端末を使って同時に発呼（基地局に対し通信を開始する）するものである。具体的には、あらかじめ試験者の所有する時計の時刻を合わせるなどして、決められた時間に一斉に発呼する方法で実施していた。
【０００３】
また、PHSにおいて基地局が無線端末に対し各種の通知を一斉に行うチャネルとしてページングチャネル（Paging Channel 以下PCH）と呼ばれる通信チャネルがある。このチャネルは、たとえば着呼があった無線通信端末に対し基地局から着呼を報知する際に使用されるものであり図７に示すフォーマットで構成されている。
【０００４】
上記した試験方法に対し、複数の携帯端末を同時に制御し、人手を介することなく自動的に評価の実行・判定を行う携帯電話基地局評価システムがある（特許文献１）。
【特許文献１】特開２００４−２３５７２６号公報
【発明の開示】
【発明が解決しようとする課題】
【０００５】
しかしながら、特許文献１に示される携帯電話基地局評価システムは、基地局装置や無線通信端末に接続する評価用の特別な装置であり高価であるうえに、使用できる無線通信端末の数に制約があった。また、接続が必要であることから試験ができる範囲も限られ自由な条件で試験を行うことが困難であった。また、試験に人がかかわった場合には同時発呼させるために時計を事前にあわせることが必要であったが秒単位まで正確に時刻を合わせることが困難で、試験者によって発信タイミングはまちまちになってしまい厳密な意味での同時発信にはならなかった。また、試験者に対する発信タイミングの通知は携帯電話等を利用しているが、たとえば試験者が10人であれば試験開始時間を通知するために10人に対して試験時間を通知しなければならず、試験者の数が多くなるほど試験以外にかかる時間が増えてしまっていた。さらに一度に試験を行う無線通信端末の数が増えると、操作を行う試験者の数も増やさなければならないという問題があった。したがって、本発明の課題は、効率的にかつ安価な評価を行うことのできる無線通信システム、無線通信端末および通信制御方法を提供することにある。
【課題を解決するための手段】
【０００６】
このような課題を解決するための本発明における通信システムは、基地局装置と複数の無線通信端末との間で通信を行う通信システムにおいて、前記複数の無線通信端末に対し通信の開始を要求する通信要求メッセージを送信する通信要求メッセージ送信手段と、前記通信要求メッセージを受信する通信要求メッセージ受信手段と、受信した前記通信要求メッセージに基づいて前記複数の無線通信端末が通信を開始するよう制御する通信開始制御手段と、を備えることを特徴とする。
【０００７】
また本発明の一態様では、前記通信要求メッセージ受信手段が前記通信要求メッセージを受信した後、前記複数の無線通信端末が通信を開始するまでの時間を記憶する記憶部を備えることを特徴とする。
【０００８】
そして、他の一態様では、前記記憶部はさらに、前記通信要求メッセージ受信手段が前記通信要求メッセージを受信した後、前記複数の無線通信端末が通信を開始する回数を記憶することを特徴とする。
【０００９】
このようにすることで、あらかじめ設定した時刻、タイミング、あるいは回数で人手を介することなしに複数の無線通信端末に対し発呼させることができる。
【００１０】
本発明における無線通信端末は、基地局装置と複数の無線通信端末との間で通信を行う通信システムにおいて用いられ、前記基地局から送信された、前記複数の無線通信端末に対し通信の開始を要求する通信要求メッセージを受信する通信要求メッセージ受信手段と、受信した前記通信要求メッセージに基づいて前記複数の無線通信端末が通信を開始するよう制御する通信開始制御手段と、を備えることを特徴とする。
【００１１】
また、本発明における無線通信端末の一態様は、前記通信要求メッセージ受信手段が前記通信要求メッセージを受信した後、前記複数の無線通信端末が通信を開始するまでの時間を記憶する記憶部を備えることを特徴とする。
【００１２】
また、本発明における無線通信端末の他の一態様は、前記記憶部はさらに、前記通信要求メッセージ受信手段が前記通信要求メッセージを受信した後、前記複数の無線通信端末が通信を開始する回数を記憶することを特徴とする。
【００１３】
さらに、本発明における通信制御方法は、基地局装置と複数の無線通信端末との間で通信を行い、前記複数の無線通信端末に対し通信の開始を要求する通信要求メッセージを送信する通信要求メッセージ送信ステップと、前記通信要求メッセージを受信する通信要求メッセージ受信ステップと、受信した前記通信要求メッセージに基づいて前記複数の無線通信端末が通信を開始するよう制御する通信開始制御ステップと、を含むことを特徴とする。
【発明の効果】
【００１４】
本発明によれば、試験を行う際にあらかじめ試験者所有の時計を正確に時刻合わせする必要がなく、複数の端末からの同時発呼といった特殊な状況を容易に作ることが出来る。試験者が必要ないため低コストでフィールドテストを実施できる。
【発明を実施するための最良の形態】
【００１５】
以下、本発明の一実施形態による無線通信システム、無線通信端末および通信制御方法について図面を参照して説明する。図１は同実施形態の構成を示す構成図である。本発明の一実施形態による無線通信システムは基地局装置１、複数の無線通信端末２及びネットワーク４、制御装置３と、を含んで構成されている。基地局装置１は通常、無線通信端末２がネットワーク４を通じ他の無線通信端末４や固定電話等と通信を行うために通信データをネットワーク４に送信したり、逆に他の無線通信端末２や固定電話等から送られる通信データを無線通信端末２に送信する。制御装置３はパーソナルコンピュータなどであり、フィールドテストを実施する際に基地局装置１に対し各種命令を指示したり、試験を行うための基地局装置１の動作タイミングを入力したりする。たとえば、基地局装置１に対し複数の無線通信端末２が同時に発呼をした場合に、どの程度の割合の無線通信端末２が接続することができるかを試験する接続率試験においては、制御装置３に、何台の無線通信端末２がいつ、何回発呼するのかを入力し、制御装置３から基地局装置１に対し試験内容を指示する試験制御データが送られる。その試験制御データを基に基地局装置１は無線通信端末２に対し試験のために無線通信端末２を制御する制御データを送信し、その制御データに従い無線通信端末２は試験動作をする。
【００１６】
図２は基地局装置１の構成図である。基地局装置１は、送受信部１１、変復調部１２、ネットワークI/F部１６、信号発生部１７、制御部１４、記憶部１３、PC  I/F部１３を含んでいる。送受信部１１はアンテナを含み、無線通信端末２からの信号を受信したり、ネットワーク４から送信されたデータを無線通信端末２に送信する。変復調部１２は送受信部１１が受信した信号からデータを取り出したり、ネットワーク４から受信したデータを無線信号として送信できるように変調したりする。記憶部１５は基地局装置１が動作するためのプログラムや基地局装置１を制御するための各種情報が記憶されている。制御部１４は基地局装置１全体を制御する。ネットワークI/F部１６はネットワーク４と基地局装置１を接続するためのインターフェースである。信号発生部１７は、フィールドテストを行う際に擬似データを送信するためのデータを生成する。PC I/F部１３は基地局装置１と各種試験時の制御用パーソナルコンピュータを接続するためのインターフェースである。フィールドテストを実施する際に基地局装置１に対し各種命令を指示したり、試験を行うための基地局装置１の動作タイミングを入力したりする。たとえば、基地局装置１に対し複数の無線通信端末２が同時に発呼をした場合に、どの程度の割合の無線通信端末２が接続することができるかを試験する接続率試験においては、パーソナルコンピュータを用いて、接続率試験を行う指示が埋め込まれたデータを入力する。制御部１４はPC  I/F部１３を通じてこの接続率試験を行う指示が埋め込まれたデータを受け取り、このデータを「発呼要求」というデータに変換する。そして記憶部１３に送る一方で変復調部１２に送る。変復調部１２は「発呼要求」というデータを図４に示すように制御チャネル（PCH）に埋め込んで送受信部１１から無線通信端末２に対し送信される。図４において「呼び出しサービス種別」および「拡張呼び出しサービス種別」を、０５（Ｈｅｘ）と０Ｅ（Ｈｅｘ）とすることにより「発呼要求」が送信される。
【００１７】
図３は無線通信端末２の構成図である。無線通信端末２は、送受信部２１、変復調部２２、音声入出力部２３、制御部２４、記憶部２５、表示部２６、操作部２７と、を含んで構成されている。制御部２４は、無線通信端末２の各部を制御し、通話やデータ通信に関わる処理を実行している。送受信部２１はアンテナを含み、基地局装置１からの信号を受信したり、音声データやパケットデータを基地局装置１に送信する。変復調部２２は送受信部２１が受信した信号からデータを取り出したり、音声データやパケットデータを無線信号として送信できるように変調したりする。音声入出力部２３はマイク及びスピーカーである。表示部２６はたとえばＬＣＤ表示装置であり無線通信端末２の操作に関する情報やメールなどの通信データを表示する。操作部２７は無線通信端末２７を操作するための各種情報を入力する操作ボタンなどである。記憶部２５は、制御部が行う処理に関するプログラムを保持しているほか、フィールドテストを行う際の試験条件が記憶されている。試験条件とはたとえば、基地局装置１から「発呼要求」を受信した場合にいつ発呼するのか、何回発呼するのか、発呼間隔はどの程度かといった情報である。この試験条件はあらかじめ試験者によって事前に操作部２７を用いて入力設定されてもよいし、制御装置３から入力した条件を基地局装置１から無線通信端末２へＳＭＳ（Ｓｈｏｒｔ  Ｍｅｓｓｅｇｅ  Ｓｅｒｖｉｃｅ）サービスを利用して通知してもよい。
【００１８】
また、変復調部２２は基地局装置１から送信されるＰＣＨを解析する機能も備える。つまり、送受信部２１が受信した信号から図４に示すようなＰＣＨのデータを抽出する。受信したＰＣＨの内容は制御部２４が解析を行い「呼び出しサービス種別」および「拡張呼び出しサービス種別」が、０５（Ｈｅｘ）と０Ｅ（Ｈｅｘ）である場合には、制御部２４は発呼要求があったと判断し、無線通信端末２に対し、発呼動作を起動させる制御を行う。
【００１９】
ここで、図５を用いて本発明の一実施形態である、発呼シーケンスを説明する。試験者が試験を開始することを制御装置３に入力すると基地局装置１（ＣＳ）は無線通信端末（ＰＳ）に対し発信要求を行う。この発信要求は制御チャンネル（ＰＣＨ）をもちいて「発呼要求」を送信することで行われる（Ｓ１）。発信要求を受けるとＰＳは記憶部２５に記憶されている所定の時間まで待機し、所定の時刻になるとＣＳに対しリンクチャネル確立要求を送信する（Ｓ２）。「発呼要求」は１つのＣＳから複数のＰＳに対し送信されるため、複数のＰＳがそれぞれ記憶部２５に記憶する発呼開始時刻に発呼を開始する。記憶された発呼時刻が複数同じものがあればＣＳに対し同時に発呼が行われ、接続率試験が行える。その後、ＣＳは使用できるチャネルがあればリンクチャネル割り当てを行う（Ｓ３）。以下、同期バーストの交換をした後通常の発呼シーケンスに基づき接続を確立する。
【００２０】
以上のように、本発明の無線通信システム、無線通信端末および通信制御方法によれば試験を行う際にあらかじめ試験者所有の時計を正確に時刻合わせする必要がなく、複数の端末からの同時発呼といった特殊な状況を容易に作ることが出来る。試験者が必要ないため低コストでフィールドテストを実施できる。
【図面の簡単な説明】
【００２１】
【図１】本発明の一実施形態の構成を示す構成図である。
【図２】本発明の一実施形態の基地局装置を示す図である。
【図３】本発明の一実施形態の無線通信端末を示す図である。
【図４】本発明の一実施形態における発呼を促すデータが含まれた制御チャネルのフォーマットである。
【図５】本発明の一実施形態におけるシーケンス図である。
【図６】本発明の一実施形態における切断を促すデータが含まれた制御チャネルのフォーマットである。
【図７】従来の制御チャネルのフォーマットである。
【符号の説明】
【００２２】
１  基地局装置、２  無線通信端末、３  制御装置、４  ネットワーク、１１  ２１送受信部、１２  ２２変復調部、１３  PC I/F部、１４  ２４制御部、１５  ２５記憶部、１６  ネットワークI/F部、１７  信号発生部、２１１８  ネットワークインターフェイス部、１９  制御部、２３  音声入出力部、２６  表示部、２７  操作部
【図１】
2007201944.tif 000003
【図２】
2007201944.tif 000004
【図３】
2007201944.tif 000005
【図４】
2007201944.tif 000006
【図５】
2007201944.tif 000007
【図６】
2007201944.tif 000008
【図７】
2007201944.tif 000009